(57)【要約】    【課題】      適切なプロトコルを適用する通信端末装置、電化機器及び通信方法を提供すること。    【解決手段】  携帯電話１０１が直接接続の対象とする電化機器１０２が指定するプロトコル種別と、電化機器１０２と接続しているＮＡＴルータ１０３のアドレス及び設定情報とを含むメッセージを、インターネット上に備えられたサーバ装置１０４から携帯電話１０１に送信し、携帯電話１０１は、取得したプロトコル種別のうち、電化機器１０２との接続に用いるプロトコルを適用し、ＮＡＴルータ１０３のアドレス及び設定情報を用いてＮＡＴルータ１０３を経由して電化機器１０２に接続する。  【選択図】      図１
2006108899.tif 000002
【特許請求の範囲】
【請求項１】
インターネット上に備えられたサーバ装置から送信されたメッセージを解析することにより、当該メッセージに含まれ、直接接続の対象とする電化機器が指定するプロトコル種別と、前記電化機器と接続しているＮＡＴルータのアドレス及び設定情報とを取得する第１セッション管理手段と、
複数のプロトコルを管理し、前記第１セッション管理手段によって取得されたプロトコル種別のうち、前記電化機器との接続に用いるプロトコルを適用するプロトコル管理手段と、
前記ＮＡＴルータのアドレス及び設定情報を用いて前記ＮＡＴルータを経由して前記電化機器に接続する接続手段と、
を具備することを特徴とする通信端末装置。
【請求項２】
前記第１セッション管理手段は、前記ＮＡＴルータを経由して接続中の電化機器から送信されたメッセージを解析することにより、当該メッセージに含まれ、前記電化機器との接続に現在用いているプロトコルとは異なるプロトコル種別を取得し、取得したプロトコルへの変更を前記プロトコル管理手段に指示することを特徴とする請求項１に記載の通信端末装置。
【請求項３】
前記第１セッション管理手段は、前記電化機器との接続を示す接続情報をメッセージに含め、前記ＮＡＴルータを経由して接続中の前記電化機器に前記メッセージを送信することを特徴とする請求項１又は請求項２に記載の通信端末装置。
【請求項４】
前記ＮＡＴルータを経由して前記電化機器と接続中に、使用可能なプロトコル種別をユーザに通知することを特徴とする請求項１から請求項３のいずれかに記載の通信端末装置。
【請求項５】
前記電化機器と接続したことにより取得した接続情報を記憶する記憶手段を具備し、
前記第１セッション管理手段は、前記記憶手段に記憶された接続情報をメッセージに含め、接続が切断されている前記電化機器宛に前記メッセージを送信することを特徴とする請求項１から請求項４のいずれかに記載の通信端末装置。
【請求項６】
前記記憶手段は、ユーザによって入力された接続情報を記憶することを特徴とする請求項５に記載の通信端末装置。
【請求項７】
前記第１セッション管理手段は、前記ＮＡＴルータを経由して前記電化機器と接続中に、前記電化機器との接続に現在用いているプロトコルとは異なるプロトコルに変更する指示をユーザから受け、現在用いているプロトコルとは異なるプロトコルへの変更を前記プロトコル管理手段に指示することを特徴とする請求項１から請求項６のいずれかに記載の通信端末装置。
【請求項８】
前記第１セッション管理手段は、第１の網を経由して電化機器に接続中に、第２の網に接続可能になると、第２の網を経由した電気機器との接続に用いるプロトコルへの変更を前記プロトコル管理手段に指示することを特徴とする請求項１から請求項７のいずれかに記載の通信端末装置。
【請求項９】
使用可能なプロトコル種別をメッセージに含め、ＮＡＴルータを経由して接続中の通信端末装置に前記メッセージを送信する第２セッション管理手段を具備することを特徴とする電化機器。
【請求項１０】
第２セッション管理手段は、通信端末装置との接続を示す接続情報をメッセージに含め、ＮＡＴルータを経由して接続中の通信端末装置に前記メッセージを送信することを特徴とする電化機器。
【請求項１１】
コンテンツを配信する電化機器であって、
コンテンツに応じて使用可能なプロトコル種別をメッセージに含め、ＮＡＴルータを経由して接続中の通信端末装置に前記メッセージを送信する第３セッション管理手段を具備することを特徴とする電化機器。
【請求項１２】
インターネット上に備えられたサーバ装置から送信されたメッセージを解析することにより、当該メッセージに含まれ、直接接続の対象とする電化機器が指定するプロトコル種別と、前記電化機器と接続しているＮＡＴルータのアドレス及び設定情報とを取得するセッション管理工程と、
複数のプロトコルを管理し、前記セッション管理工程で取得されたプロトコル種別のうち、前記電化機器との接続に用いるプロトコルを適用するプロトコル管理工程と、
前記ＮＡＴルータのアドレス及び設定情報を用いて前記ＮＡＴルータを経由して前記電化機器に接続する接続工程と、
を具備することを特徴とする通信方法。
【発明の詳細な説明】
【技術分野】
【０００１】
本発明は、通信端末装置、電化機器及び通信方法に関する。
【背景技術】
【０００２】
近年、インターネットの常時接続環境の普及が進み、ＤＶＤレコーダ、ネットワークカメラ、白物家電といった様々な電化機器がネットワークに接続するようになってきた。企業や家庭におけるこれらのネットワーク環境（以下、「プライベートネットワーク」という）は、ＮＡＴ（Network Address Translation）／ＮＡＰＴ（Network Address Port Translation）機能を有するルータによってインターネットに接続しているのが一般的である。
【０００３】
このようなプライベートネットワークでは、電化機器側からインターネット上に存在するサーバに対して接続を開始することは可能であるが、逆にサーバ側から電化機器に対して接続を開始することはできない。これは、電化機器側に割り当てられているアドレスが動的に変わり得るため、通信相手がそのアドレスを知得することが困難であることによる。
【０００４】
また、インターネットから電化機器宛のパケットをＮＡＴルータが取得すると、取得したパケットを正しく電化機器に転送するような制御情報（アドレス／ポート変換テーブル）をＮＡＴルータに設定する必要がある。
【０００５】
このような課題に対応する技術が特許文献１に開示されている。特許文献１には、図６に示すように、インターネット５０上にグローバルＩＰアドレスを有する接続支援サーバ１０を備え、プライベートネットワーク内の電化機器２０から接続支援サーバ１０にグローバルＩＰアドレスを基に半固定的なＴＣＰ／ＩＰコネクションを確立し、電化機器２０は接続支援サーバ１０に接続することができる。
【０００６】
一方、通信端末３０から電化機器２０に接続する場合には、通信端末３０から接続支援サーバ１０にグローバルＩＰアドレスを基に接続し、通信端末３０から接続支援サーバ１０に電化機器２０への接続要求を送信すると、接続支援サーバ１０は電化機器２０との間で確立していたコネクションと、通信端末３０との間に確立したコネクションとを中継する。これにより、電化機器２０及び通信端末３０間の通信を実現することができる。すなわち、プライベートネットワーク外の通信端末３０は、接続支援サーバ１０に接続し、接続支援サーバ１０と電化機器２０との間のＴＣＰ／ＩＰコネクションを経由して、電化機器２０の遠隔操作を行ったり、電化機器２０からのサービスを利用したりする。
【特許文献１】特開２００３−１６９０７５号公報
【発明の開示】
【発明が解決しようとする課題】
【０００７】
しかしながら、電化機器がプライベートネットワーク外の接続支援サーバと接続するＴＣＰ／ＩＰコネクションが半固定であり、適切なプロトコルを適用することができない場合がある。
【０００８】
本発明はかかる点に鑑みてなされたものであり、適切なプロトコルを適用する通信端末装置、電化機器及び通信方法を提供することを目的とする。
【課題を解決するための手段】
【０００９】
本発明の第１の態様は、インターネット上に備えられたサーバ装置から送信されたメッセージを解析することにより、当該メッセージに含まれ、直接接続の対象とする電化機器が指定するプロトコル種別と、前記電化機器と接続しているＮＡＴルータのアドレス及び設定情報とを取得する第１セッション管理手段と、複数のプロトコルを管理し、前記第１セッション管理手段によって取得されたプロトコル種別のうち、前記電化機器との接続に用いるプロトコルを適用するプロトコル管理手段と、前記ＮＡＴルータのアドレス及び設定情報を用いて前記ＮＡＴルータを経由して前記電化機器に接続する接続手段と、を具備する通信端末装置である。
【００１０】
この構成によれば、電化機器が指定するプロトコル種別を通知することにより、携帯電話が通知されたプロトコル種別のうち電化機器との接続に用いるプロトコルを適用することができる。
【００１１】
本発明の第２の態様は、上記構成において、前記第１セッション管理手段が、前記ＮＡＴルータを経由して接続中の電化機器から送信されたメッセージを解析することにより、当該メッセージに含まれ、前記電化機器との接続に現在用いているプロトコルとは異なるプロトコル種別を取得し、取得したプロトコルへの変更を前記プロトコル管理手段に指示する通信端末装置である。
【００１２】
この構成によれば、電化機器との接続に現在用いているプロトコルとは異なるプロトコル種別を該電化機器から取得し、取得したプロトコルへ変更することにより、電化機器との接続を継続したままプロトコルを変更することができる。
【００１３】
本発明の第３の態様は、上記構成において、前記第１セッション管理手段が、前記電化機器との接続を示す接続情報をメッセージに含め、前記ＮＡＴルータを経由して接続中の前記電化機器に前記メッセージを送信する通信端末装置である。
【００１４】
この構成によれば、電化機器との接続を示す接続情報を含めたメッセージを電化機器に送信することにより、電化機器において通信端末装置との接続の継続を確認することができる。
【００１５】
本発明の第４の態様は、上記構成において、前記ＮＡＴルータを経由して前記電化機器と接続中に、使用可能なプロトコル種別をユーザに通知する通信端末装置である。
【００１６】
この構成によれば、使用可能なプロトコル種別をユーザに通知することにより、ユーザによって適用するプロトコルを選択することができる。
【００１７】
本発明の第５の態様は、上記構成において、前記電化機器と接続したことにより取得した接続情報を記憶する記憶手段を具備し、前記第１セッション管理手段は、前記記憶手段に記憶された接続情報をメッセージに含め、接続が切断されている前記電化機器宛に前記メッセージを送信する通信端末装置である。
【００１８】
この構成によれば、記憶手段に記憶された接続情報を、接続が切断されている電化機器宛に送信することにより、電化機器との再接続処理を簡略化することができる。
【００１９】
本発明の第６の態様は、上記構成において、前記記憶手段が、ユーザによって入力された接続情報を記憶する通信端末装置である。
【００２０】
この構成によれば、ユーザによって入力された接続情報を記憶することにより、ユーザによる設定及びメンテナンスを行うことができる。
【００２１】
本発明の第７の態様は、上記構成において、前記第１セッション管理手段が、前記ＮＡＴルータを経由して前記電化機器と接続中に、前記電化機器との接続に現在用いているプロトコルとは異なるプロトコルに変更する指示をユーザから受け、現在用いているプロトコルとは異なるプロトコルへの変更を前記プロトコル管理手段に指示する通信端末装置である。
【００２２】
この構成によれば、電化機器との接続に現在用いているプロトコルとは異なるプロトコルに変更する指示をユーザから受け、ユーザから指示されたプロトコルに変更することにより、ユーザが自在にプロトコルを変更することができる。
【００２３】
本発明の第８の態様は、上記構成において、前記第１セッション管理手段が、第１の網を経由して電化機器に接続中に、第２の網に接続可能になると、第２の網を経由した電気機器との接続に用いるプロトコルへの変更を前記プロトコル管理手段に指示する通信端末装置である。
【００２４】
この構成によれば、第１の網を経由して電化機器に接続中に、第２の網に接続可能になると、第２の網を経由した電気機器との接続に用いるプロトコルへ変更することにより、接続する網を自動的に変更することができる。
【００２５】
本発明の第９の態様は、使用可能なプロトコル種別をメッセージに含め、ＮＡＴルータを経由して接続中の通信端末装置に前記メッセージを送信する第２セッション管理手段を具備する電化機器である。
【００２６】
この構成によれば、使用可能なプロトコル種別を含めたメッセージを通信端末装置に送信することにより、電化機器によって使用可能なプロトコル種別が異なっても、通信端末装置が所望する電化機器との接続に用いるプロトコルを適切に適用することができる。
【００２７】
本発明の第１０の態様は、第２セッション管理手段が、通信端末装置との接続を示す接続情報をメッセージに含め、ＮＡＴルータを経由して接続中の通信端末装置に前記メッセージを送信する電化機器である。
【００２８】
この構成によれば、通信端末装置との接続を示す接続情報を含めたメッセージを通信端末装置に送信することにより、通信端末装置において電化機器との接続の継続を確認することができる。
【００２９】
本発明の第１１の態様は、コンテンツを配信する電化機器であって、コンテンツに応じて使用可能なプロトコル種別をメッセージに含め、ＮＡＴルータを経由して接続中の通信端末装置に前記メッセージを送信する第３セッション管理手段を具備する電化機器である。
【００３０】
この構成によれば、コンテンツに応じて使用可能なプロトコル種別を含めたメッセージを通信端末装置に送信することにより、通信端末装置が電化機器と接続中にコンテンツの配信を要求した場合、配信を要求したコンテンツに応じたプロトコルを用いることができるので、通信端末装置はスムーズにコンテンツの配信を受けることができる。
【００３１】
本発明の第１２の態様は、インターネット上に備えられたサーバ装置から送信されたメッセージを解析することにより、当該メッセージに含まれ、直接接続の対象とする電化機器が指定するプロトコル種別と、前記電化機器と接続しているＮＡＴルータのアドレス及び設定情報とを取得するセッション管理工程と、複数のプロトコルを管理し、前記セッション管理工程で取得されたプロトコル種別のうち、前記電化機器との接続に用いるプロトコルを適用するプロトコル管理工程と、前記ＮＡＴルータのアドレス及び設定情報を用いて前記ＮＡＴルータを経由して前記電化機器に接続する接続工程と、を具備する通信方法である。
【００３２】
この方法によれば、電化機器が指定するプロトコル種別を通知することにより、携帯電話が通知されたプロトコル種別のうち電化機器との接続に用いるプロトコルを適用することができる。
【発明の効果】
【００３３】
本発明によれば、適切なプロトコルを適用する通信端末装置、電化機器及び通信方法を提供することができる。
【発明を実施するための最良の形態】
【００３４】
以下、本発明の実施の形態について、図面を参照して詳細に説明する。実施の形態では、インターネットへの接続機能が装備され、メールの送受信及びホームページの閲覧が可能な携帯電話を想定して説明する。なお、実施の形態において、同一の機能を有する構成には同一の符号を付し、重複する説明は省略する。
【００３５】
（実施の形態１）
本発明の実施の形態１に係る通信システム１００は、図１に示すように、主に、インターネット網と携帯電話網とが接続され、インターネット網とプライベートネットワークとが接続されている。プライベートネットワークは電化機器１０２及びＮＡＴルータ１０３等で構成されている。
【００３６】
携帯電話１０１は、携帯電話網と無線接続し、電化機器１０２と直接接続（ピアツーピア又はＰ２Ｐともいう）通信を行う。
【００３７】
電化機器１０２は、一般にインターネット家電と呼ばれる、インターネット接続機能を有する家庭向け電化製品であり、例えば、ＤＶＤレコーダ、ネットワークカメラ、白物家電などである。電化機器１０２はＮＡＴルータ１０３と接続しており、図示せぬ他の電化機器と接続していることもある。
【００３８】
ＮＡＴルータ１０３は、電化機器１０２と接続しており、接続している電化機器１０２にプライベートアドレスを割り当て、プライベートネットワークに割り当てられたグローバルＩＰアドレスとプライベートアドレスとの相互変換を行うことにより、電化機器１０２とインターネット網との接続を中継する。
【００３９】
サーバ装置１０４は、インターネット網に備えられており、複数の電化機器との間に接続を確立する。また、携帯電話１０１との間に接続を確立し、予め保持している電化機器が指定するプロトコル種別を接続が確立した携帯電話１０１に通知する。
【００４０】
なお、携帯電話が接続する網として携帯電話網（セルラ網）を想定し、ｉ−ｍｏｄｅ（登録商標）、ＥＺＷｅｂ（登録商標）等のセルラオペレータにより、携帯電話はインターネットの様々なサービスを利用することができる。
【００４１】
次に、携帯電話１０１の内部構成について、図２を用いて説明する。この図において、ネットワーク接続部１１１は、携帯電話網に接続し、携帯電話網に従ったプロトコルの処理を行う。データ通信プロトコル部１１２は、パケット処理を行い、データサービス処理部１１３は、携帯電話ユーザの要求するサービスを実現する。
【００４２】
セッション管理部１１４は、ユーザが所望する電化機器との接続を管理し、電化機器との間に確立したセッションの番号、メッセージのシーケンス番号、携帯電話ＩＤ、電化機器ＩＤといった接続情報を接続情報記憶部１１５に格納する。また、セッション管理部１１４は、サーバ装置から送信されたメッセージを解析し、メッセージに含まれるプロトコル種別のうち、電化機器１０２との接続に適用するプロトコルをプロトコル管理部１１７に指示する。さらに、電化機器１０２と接続されると、その接続情報をメッセージに付加し、接続した電化機器１０２宛に送信する。
【００４３】
接続情報記憶部１１５には、例えば、接続先の電化機器１０２を示す情報、ＮＡＴルータの接続情報、使用可能なプロトコル、現在使用中のプロトコル、現在の接続情報などが格納されている。ここで、ＮＡＴルータの接続情報とは、ＮＡＴルータ１０３のグローバルＩＰアドレス、所望の電化機器に接続するためのポート番号等である。
【００４４】
アプリ処理部１１６は、携帯電話１０１が電化機器１０２に接続すると、携帯電話１０１を用いて接続先の電化機器１０２を操作し、ユーザが所望するサービスを提供するアプリケーションを実行する。
【００４５】
プロトコル管理部１１７は、複数のプロトコル１１〜１ｎを有し、セッション管理部１１４からの指示を受けて、該当するプロトコルをデータ通信プロトコル部１１２に適用する。
【００４６】
入出力部１１８は、接続情報記憶部１１５に格納された情報を表示したり、ユーザ等によって入力された設定情報を接続情報記憶部１１５に格納したりする。また、ユーザ等によって入力された制御情報によって、電化機器１０１との接続に使用するプロトコルの切り替えをセッション管理部１１４に指示する。
【００４７】
次に、電化機器１０２の内部構成について、図３を用いて説明する。図３において、ネットワーク接続部１２１は、インターネット網に接続し、インターネット網に従ったプロトコルの処理を行う。データ通信プロトコル部１２２は、パケット処理を行い、データサービス処理部１２３は、通信先と送受信するメッセージの処理を行う。
【００４８】
セッション管理部１２４は、携帯電話１０１との接続を管理し、携帯電話１０１から送信された接続情報を接続情報記憶部１２５に格納する。また、セッション管理部１２４は、携帯電話１０１との接続に適用するプロトコルをプロトコル管理部１２７に指示する。さらに、携帯電話１０１と接続されると、その接続情報をメッセージに付加し、接続した携帯電話１０１宛に送信する。
【００４９】
接続情報記憶部１２５には、例えば、接続先の携帯電話を示す情報、ＮＡＴルータの接続情報、使用可能なプロトコル、現在使用中のプロトコル、現在の接続情報などが格納されている。
【００５０】
アプリ処理部１２６は、携帯電話１０１が電化機器１０２に接続すると、携帯電話１０１を用いて接続先の電化機器１０２を操作し、ユーザが所望するサービスを提供するアプリケーションを実行する。
【００５１】
プロトコル管理部１２７は、複数のプロトコル２１〜２ｎを有し、セッション管理部１２４からの指示を受けて、該当するプロトコルをデータ通信プロトコル部１２２に適用する。
【００５２】
次に、上記構成を有する携帯電話１０１及び電化機器１０２間の接続処理の手順について図４を用いて説明する。図４において、ＳＴ１３１では、携帯電話１０１が携帯電話網及びインターネット網を介してサーバ装置１０４に接続し、携帯電話ユーザが所望する電化機器１０２をサーバ装置１０４に通知し、ＳＴ１３２では、ユーザの所望する電化機器１０１が指定するプロトコル種別をサーバ装置１０４から携帯電話１０１に通知する。ここで、電化機器１０２が指定するプロトコル種別をセキュアプロトコルとすれば、接続を要求する携帯電話１０１の認証を行うことができ、セキュアな通信を行うことができる。
【００５３】
ＳＴ１３３では、携帯電話１０１がサーバ装置１０４から通知されたプロトコル種別のうち、電化機器１０２との接続に用いるプロトコル、例えばＳＳＬ２．０／３．０などを適用し、ＳＴ１３４では、適用したプロトコル及び電化機器１０２との接続に用いる接続情報に従って、電化機器１０２との接続を開始する。
【００５４】
ＳＴ１３５では、電化機器１０２が携帯電話１０１との接続を確立し、ＳＴ１３６では、接続情報を応答メッセージに付加し、携帯電話１０１に送信する。
【００５５】
ＳＴ１３７では、携帯電話１０１が電化機器１０２からの応答メッセージを受信し、メッセージに含まれる接続情報を電化機器１０２と共有する。
【００５６】
このように実施の形態１によれば、電化機器との接続を要求する携帯電話に対して、サーバ装置が予め保持している電化機器が指定するプロトコル種別を通知することにより、携帯電話が通知されたプロトコル種別のうち電化機器との接続に必要なプロトコルを選択することができるので、適切なプロトコルを適用することができる。
【００５７】
なお、本実施の形態では、携帯電話１０１が接続する網として携帯電話網（セルラ網）を例に挙げて説明したが、本発明はこれに限らず、無線ＬＡＮ網を用いてもよい。この場合、携帯電話は通常のＩＰ端末として動作し、プロトコルはＩＰｓｅｃなどが用いられる。
【００５８】
また、本実施の形態では、サーバ装置１０４から通知されたプロトコル種別の中から電化機器との接続に用いるプロトコルを携帯電話が選択する場合について説明したが、携帯電話１０１は、接続情報記憶部１１５に格納された情報を用いて、既に接続したことがある電化機器との接続を開始するようにしてもよい。これにより、携帯電話１０１と電化機器１０２との接続処理を簡略化することができる。
【００５９】
また、携帯電話１０１では、入出力部１１８を介してユーザ等によって接続情報記憶部１１５に新たな情報を格納したり、接続情報記憶部１１５に格納されている情報を更新したりすることができるので、携帯電話１０１は、接続情報記憶部１１５に格納された情報を用いて、電化機器との接続を開始するようにしてもよい。これにより、ユーザによる設定及びメンテナンスを行うことができる。
【００６０】
（実施の形態２）
実施の形態１では、携帯電話と電化機器とが接続する際に、携帯電話が接続に用いるプロトコルを選択する場合について説明したが、本発明の実施の形態２では、携帯電話と電化機器とが第１のプロトコルを用いて接続中に、第２のプロトコルに変更する場合について説明する。特に、本実施の形態では、コンテンツを提供するＤＶＤレコーダ等の電化機器を想定し、携帯電話が電化機器と接続中に、コンテンツの提供を受ける場合、現在接続に用いているプロトコルをコンテンツの提供に必要なプロトコルに変更する場合について説明する。なお、本実施の形態における電化機器の構成は図２と、携帯電話の構成は図３とそれぞれ同一なので、図２及び図３を援用して説明する。
【００６１】
図５は、携帯電話と電化機器とがあるプロトコルを用いて接続中に、他のプロトコルに変更する処理手順を示すシーケンス図である。この図において、ＳＴ１４１では、電化機器１０２はコンテンツの提供に必要なプロトコル種別をメッセージに格納し、メッセージを携帯電話１０１に送信する。
【００６２】
ＳＴ１４２では、携帯電話１０１が電化機器１０２から送信されたメッセージを受信し、受信したメッセージに含まれるプロトコル種別の通知を受ける。ＳＴ１４３では、携帯電話１０１が電化機器１０２から通知されたプロトコルに変更し、ＳＴ１４４では、前回の接続から引き継いだ接続情報をメッセージに付加して、電化機器１０２に送信する。このとき、携帯電話１０１のセッション管理部１１４は接続情報記憶部１１５に格納された情報を更新する。なお、携帯電話ユーザがプロトコルの変更を確認し、プロトコルを変更するようにしてもよい。
【００６３】
ＳＴ１４５では、電化機器１０２が携帯電話１０１から送信されたメッセージを受信し、受信したメッセージに含まれる接続情報を確認し、接続が継続していることを認識する。また、電化機器１０２のセッション管理部１２４は接続情報記憶部１２５に格納された情報を更新する。
【００６４】
ＳＴ１４６では、電化機器１０２が携帯電話１０１との接続が継続していることを応答メッセージに付加し、携帯電話１０１に送信する。
【００６５】
このように実施の形態２によれば、携帯電話と電化機器との接続中に、他のプロトコルに変更する場合、プロトコルの変更の前後で携帯電話と電化機器との接続が継続していることを電化機器が確認することにより、認証等の再接続処理を省略することができ、プロトコルの変更をスムーズに行うことができる。
【００６６】
（実施の形態３）
本発明の実施の形態３では、携帯電話と電化機器とがあるプロトコルを用いて接続中に、携帯電話ユーザの発意により、他のプロトコルに変更する場合について説明する。なお、本実施の形態における電化機器の構成は図２と、携帯電話の構成は図３とそれぞれ同一なので、図２及び図３を援用して説明する。
【００６７】
携帯電話１０１の接続情報記憶部１１５に格納された現在使用可能なプロトコルが入出力部１１８を介して表示されると、携帯電話ユーザは、入出力部１１８を介してセッション管理部１１４にプロトコルの変更を指示する。
【００６８】
セッション管理部１１４は、現在接続に用いているプロトコルからユーザに指示されたプロトコルに変更し、前回の接続から引き継いだ接続情報をメッセージに付加して、電化機器１０２に送信する。このとき、セッション管理部１１４は接続情報記憶部１１５に格納された情報を更新する。
【００６９】
電化機器１０２が携帯電話１０１から送信されたメッセージを受信し、受信したメッセージに含まれる接続情報を確認し、接続が継続していることを認識する。また、電化機器１０２のセッション管理部１２４は接続情報記憶部１２５に格納された情報を更新する。
【００７０】
これにより、例えば、携帯電話１０１が携帯電話網と接続中に無線ＬＡＮ網に接続可能な場合、携帯電話ユーザは、携帯電話網を経由した電化機器１０２との接続を維持しながら、無線ＬＡＮ網を経由した電化機器１０２との接続に切り替えることができる。
【００７１】
（実施の形態４）
本発明の実施の形態４では、携帯電話が接続中の網を自動的に変更する場合について説明する。なお、本実施の形態における電化機器の構成は図２と、携帯電話の構成は図３とそれぞれ同一なので、図２及び図３を援用して説明する。
【００７２】
携帯電話１０１が第１の網を経由して電化機器１０２に接続中に移動することにより、第２の網に接続可能となると、携帯電話１０１のネットワーク接続部１１１が接続可能な第２の網を検出し、その旨セッション管理部１１４に通知する。
【００７３】
セッション管理部１１４は、第２の網との接続に用いるプロトコルをプロトコル管理部１１７に指示し、プロトコルの変更を行う。
【００７４】
これにより、携帯電話１０１が第１の網を経由して電化機器１０２に接続中に、第２の網に接続可能となった場合、第２の網を経由した電化機器１０２との接続に切り替えることができる。
【産業上の利用可能性】
【００７５】
本発明にかかる通信端末装置、電化機器及び通信方法は、適切なプロトコルを適用するという効果を有し、例えば、インターネット家電、携帯電話等に適用することができる。
【図面の簡単な説明】
【００７６】
【図１】本発明の実施の形態１に係る通信システムの構成を示す概念図
【図２】図１に示す携帯電話の内部構成を示すブロック図
【図３】図１に示す電化機器の内部構成を示すブロック図
【図４】電化機器及び携帯電話間の接続処理の手順を示すシーケンス図
【図５】携帯電話と電化機器とがあるプロトコルを用いて接続中に、他のプロトコルに変更する処理手順を示すシーケンス図
【図６】特許文献１に記載された接続支援システム全体の概略図
【符号の説明】
【００７７】
１０１  携帯電話
１０２  電化機器
１０３  ＮＡＴルータ
１０４  サーバ装置
１１１、１２１  ネットワーク接続部
１１２、１２２  データ通信プロトコル部
１１３、１２３  データサービス処理部
１１４、１２４  セッション管理部
１１５、１２５  接続情報記憶部
１１６、１２６  アプリ処理部
１１７、１２７  プロトコル管理部
１１８  入出力部
【図１】
2006108899.tif 000003
【図２】
2006108899.tif 000004
【図３】
2006108899.tif 000005
【図４】
2006108899.tif 000006
【図５】
2006108899.tif 000007
【図６】
2006108899.tif 000008